(57)【特許請求の範囲】
【請求項１】
複数本の導体素線が所定の撚りピッチで撚り合わされている電線であって、所定曲率の曲がり形状をなす曲がり部を一部に有する電線において、
前記曲がり部の区間長が前記撚りピッチの整数倍の長さとされている電線。
【請求項２】
複数本の導体素線が所定の撚りピッチで撚り合わされている電線であって、複数の曲がり部と、各曲がり部の間を直線的につなぐ直線部とを有する電線において、
前記各曲がり部の区間長の合計及び前記直線部の区間長の合計が共に前記撚りピッチの整数倍である電線。
【請求項３】
前記曲がり部を２つ有しており、
前記２つの曲がり部の区間長が同じでかつ前記撚りピッチの整数倍の半分である請求項２に記載の電線。
【発明の詳細な説明】
【技術分野】
【０００１】
本明細書に開示される技術は、電線に関する。
【背景技術】
【０００２】
従来、導体の外周に絶縁体が被覆された被覆電線は、自動車などの車両や、電気・電子機器などの配線に広く用いられている。この電線の導体は、複数本の金属製の素線を撚り合せた構成とされることが一般的である。このように素線を撚り合わせてなる撚り線導体を曲げると、曲げられた部分において内周側と外周側に位置する素線毎に線路長が異なってしまう。そのため、撚り線導体の端末が固定されていない場合には、図８に示すように、電線１の各素線１ａの端部の位置が不揃いになる。また、撚り線導体の端末が圧着端子６等によって固定されている場合には、図９に示すように、電線５の曲げられた部分７に膨らみが生じる。そして、これらの形状異常を矯正すると、撚り合せ導体本来の柔軟性が損なわれる。
【０００３】
このような問題を解決するために、特開２０１４−１４３２１７号公報（下記特許文献１）の電線では、電線の撚りピッチや素線径を調整することで、電線の可撓性や、屈曲耐性を向上している。
【先行技術文献】
【特許文献】
【０００４】
【特許文献１】特開２０１４−１４３２１７号公報
【発明の概要】
【発明が解決しようとする課題】
【０００５】
しかしながら、特開２０１４−１４３２１７号公報（上記特許文献１）の構成では、電線の曲げられた部分の形状異常を避けるために、専用の電線を用意する必要があるためコストが高くなる虞がある。
【課題を解決するための手段】
【０００６】
本明細書で開示される電線は、複数本の導体素線が所定の撚りピッチで撚り合わされている電線であって、所定曲率の曲がり形状をなす曲がり部を一部に有する電線において、前記曲がり部の区間長が前記撚りピッチの整数倍の長さとされている。
【０００７】
このような構成の電線によると、全ての導体素線は曲がり部において内周側と外周側とに等しく分布する状態となるから、曲がり部における各導体素線の線路長が等しくなる。そのため、電線の柔軟性を損なうことなく、さらに電線の端末が固定されている場合であっても、曲がり部に膨らみが発生しない。
なお、このような構成、すなわち複数本の導体素線が所定の撚りピッチで撚り合わされている電線であって、所定曲率の曲がり形状をなす曲がり部を一部に有する電線は、前記曲がり部の区間長が前記撚りピッチの整数倍の長さと等しくなるように曲げることで製造することができる。
【０００８】
また、本明細書で開示される電線は、複数本の導体素線が所定の撚りピッチで撚り合わされている電線であって、複数の曲がり部と、各曲がり部の間を直線的につなぐ直線部とを有する電線において、前記各曲がり部の区間長の合計及び前記直線部の区間長の合計が共に前記撚りピッチの整数倍である。
【０００９】
このような構成の電線によると、途中に直線部を含む電線であっても、複数の曲がり部を合計した各導体素線の線路長が等しくなる。また、直線部では、その撚りピッチを維持した状態となっている。そのため、電線の柔軟性を損なうことなく、さらに電線の端末が固定されている場合であっても、曲がり部に膨らみが発生しない。
また、上記のように、複数の曲がり部を有し、前記曲がり部の間に直線部を含む電線を製造する場合には、前記各曲がり部の区間長の合計及び前記直線部の区間長の合計が共に前記撚りピッチの整数倍と等しくなるように曲げればよい。
【００１０】
本明細書に開示される電線の実施の態様として、以下の構成としてもよい。
前記曲がり部を２つ有しており、前記２つの曲がり部の区間長が同じでかつ前記撚りピッチの整数倍の半分である構成としても良い。
２つの曲がり部とその間の直線部とで全体としてコの字型とされた電線であっても、このように構成することで、各導体素線の線路長が等しくなる。
【発明の効果】
【００１１】
本明細書に開示される電線によれば、いわゆる撚り電線であって曲がり部を有する電線でありながら、電線の端部が不揃いになったり、曲がり部で導体素線が膨らんだ形状になることを防止できる。
【図面の簡単な説明】
【００１２】
【図１】各実施形態における曲げられる前の電線の正面図
【図２】実施形態１における電線の正面図
【図３】電線のピッチと素線の内外周差を表す説明図
【図４】実施形態２における電線の概略正面図
【図５】実施形態３における電線の概略正面図
【図６】実施形態４における電線の概略斜視図
【図７】電線のピッチと素線の内外周差を表す説明図
【図８】従来における自由端の曲げられた電線の正面図
【図９】従来における固定端の曲げられた電線の正面図
【発明を実施するための形態】
【００１３】
＜電線について＞
図１を参照して各実施形態に用いられる電線Ｗについて説明する。
電線Ｗは、複数本の素線導体１１を所定の撚りピッチＰで撚り合わせることによって形成された芯線１３が絶縁被覆１５に覆われることで形成されている。ここで、撚りピッチＰとは、撚り合せの回転によって、電線Ｗの軸方向に沿って導体素線１１が一回転する間に進む長さを示している。つまり、撚りピッチＰとは、導体素線１１が３６０度回転するのに要する電線Ｗの長手方向の長さを示している。
【００１４】
＜実施形態１＞
本実施形態の電線Ｗ１について、図２及び図３を用いて説明する。本実施形態では、図２に示すように、図１に示された上記電線の１つである電線Ｗ１が、曲率半径Ｒ１で曲げられた曲がり部２０を有している。曲がり部２０は、導体素線１１が撚りピッチＰ１で撚り合わされた芯線１３が露出している部分に設けられており、点Ａ（曲げの始点）と点Ｂ（曲げの終点）とが略９０度移動した位置になるように曲げられている。なお、曲率半径Ｒ１は、芯線１３の中心軸ｘから曲率中心Ｏまでの距離である。また、曲げの状態の指標である曲率Ｋ１は、曲率半径Ｒ１の逆数（Ｋ１＝１／Ｒ１）で定義される。つまり、電線Ｗ１は、曲率Ｋ１の曲がり形状をなす曲がり部２０を有している。
【００１５】
曲がり部２０の区間長Ｌ１は、図２に示すように、電線Ｗ１が曲げられた区間の長さ（点Ａから点Ｂまでの長さ）を示している。より具体的には、区間長Ｌ１は、曲がり部２０を曲げる前の状態（自然状態）での点Ａから点Ｂまでの長さであって、曲がり部２０における中心軸ｘでの曲がり部２０の長さである。なお、中心軸ｘは、芯線１３の径方向の中心位置を通る電線Ｗ１の軸方向（長手方向）に延びる軸である。
【００１６】
曲がり部２０では、電線Ｗ１の導体素線１１は、中心軸ｘよりも外側の部分では曲げのない状態に比べてその経路が長くなり、中心線ｘよりも内側の部分では曲げのない状態に比べてその経路が短くなる。その結果、中心軸ｘの外側では導体素線１１に不足が生じ、中心軸ｘの内側では導体素線１１に余剰が生まれる。このような各導体素線１１の過不足ｄＬによって、各導体素線１１の間で内外周差Ｄが生じる。
【００１７】
各導体素線１１は、その長手方向に移動すると撚り合せの回転（撚りピッチＰ１）に従って中心軸ｘに対する位置も移動する。曲がり部２０における各導体素線１１の過不足ｄＬの値は、曲がり部２０の始点からの過不足が累計されることで、撚りピッチＰ１に対して周期性を持つようになっている。その結果、各導体素線１１の間での内外周差Ｄも撚りピッチＰ１に対して周期性を持つようになっている。
【００１８】
そして、図３に示すように、各導体素線１１の内外周差Ｄは、点Ａからの長さがＰ１／２（撚りピッチの半分の値）の時に最大となり、点Ａからの長さが撚りピッチＰ１の時に０となる。そして、同じ曲率Ｋ１で曲げられた電線Ｗ１の内外周差Ｄは、撚りピッチＰ１に対して周期性を持っているため、点Ａからの長さが撚りピッチＰ１の整数倍の長さの時に、内外周差Ｄが０となる。つまり、曲がり部２０の区間長Ｌ１が撚りピッチＰ１の整数倍の長さの時に、曲がり部２０の内外周差Ｄが０となる。
【００１９】
このように曲がり部２０の内外周差Ｄが０の時には、曲がり部２０における各導体素線１１の過不足ｄＬも０となっている。つまり、曲がり部２０の区間長Ｌ１が撚りピッチＰ１の整数倍の長さの時に、曲がり部２０における各導体素線１１の線路長が等しくなり、各導体素線１１の張力によって線路長が等しい各導体素線１１は始点と終点との端部が揃うことになる。また、曲がり部２０の区間長Ｌ１が撚りピッチＰ１の整数倍の長さの時に、曲がり部２０において全ての導体素線１１が内周側と外周側とに等しく分布する状態となる。
【００２０】
このように、曲がり部２０の区間長Ｌ１が撚りピッチＰ１の整数倍になるように曲げられていると、電線Ｗ１の柔軟性を損なうことなく曲げることができる。さらに曲がり部２０の区間長Ｌ１が撚りピッチＰ１の整数倍の長さとなっていれば、電線Ｗ１の端末が固定されても、曲がり部２０に膨らみが発生しなくなる。
【００２１】
＜実施形態２＞
次に、曲がり部１２０の形状が異なる電線Ｗ２について、図４を用いて説明する。なお、実施形態１と同一の構成については同一の符号を付して説明を省略する。また、各導体素線１１は、図面の簡略化のために図示を省略する。
【００２２】
本実施形態では、図４に示すように、図１に示された上記電線の１つである電線Ｗ２が、曲率Ｋ２の曲がり形状をなす曲がり部１２０を有している。曲がり部１２０は、導体素線１１が撚りピッチＰ２で撚り合わされた芯線１３が露出している部分に設けられており、始点と終点とが略２７０度移動した位置になるように曲げられている。
【００２３】
曲がり部１２０の区間長Ｌ２は、実施形態１と同様に、撚りピッチＰ２の整数倍の長さの時に、曲がり部１２０の内外周差Ｄが０となる。つまり、曲がり部１２０の区間長Ｌ２が撚りピッチＰ２の整数倍の長さの時に、曲がり部１２０における各導体素線１１の線路長が等しくなり、曲がり部１２０において全ての導体素線１１が内周側と外周側とに等しく分布する状態となる。
【００２４】
このように、曲がり部１２０の区間長Ｌ２が撚りピッチＰ２の整数倍になるように曲げられていると、電線Ｗ２の柔軟性を損なうことなく曲げることができる。さらに曲がり部１２０の区間長Ｌ２が撚りピッチＰ２の整数倍の長さとなっていれば、電線Ｗ２の端末が固定されても、曲がり部１２０に膨らみが発生しなくなる。
【００２５】
＜実施形態３＞
次に、曲がり部２２０の形状が異なる電線Ｗ３について、図５を用いて説明する。なお、実施形態１と同一の構成については同一の符号を付して説明を省略する。また、各導体素線１１は、図面の簡略化のために図示を省略する。
【００２６】
本実施形態では、図５に示すように、図１に示された上記電線の１つである電線Ｗ３が、曲率Ｋ３の曲がり形状をなす曲がり部２２０を２つ有しており、各曲がり部２２０の間を直線的につなぐ直線部２３０を有している。曲がり部２２０及び直線部２３０は、導体素線１１が撚りピッチＰ３で撚り合わされた芯線１３が露出している部分に設けられている。各曲がり部２２０がそれぞれその曲げの始点と曲げの終点とが略９０度移動した位置になるように同一の曲率Ｋ３で曲げられている。そして、各曲がり部２２０の間に直線部２３０が設けられ、各曲がり部２２０及び直線部２３０は、共に同一平面上に位置するため、電線Ｗ３は全体としてコの字型に屈曲している。
【００２７】
２つの曲がり部２２０のうち、一方の曲がり部２２０Ａの区間長Ｌ３Ａは、撚りピッチＰ３の１／２の長さとなっており、他方の曲がり部２２０Ｂの区間長Ｌ３Ｂも撚りピッチＰ３の１／２の長さとなっている。また、直線部２３０の区間長Ｌ３Ｃは、撚りピッチＰ３の整数倍の長さとなっている。図３で示したように、各導体素線１１の内外周差Ｄは、曲がり始点からの長さが撚りピッチＰの半分の値の時に最大となっていることから、電線Ｗ３においても、撚りピッチＰ３の１／２の長さの時には、内外周差Ｄは最大となる。
【００２８】
一方の曲がり部２２０Ａの区間長Ｌ３Ａは、撚りピッチＰ３の１／２となっていることから、一方の曲がり部２２０Ａの曲げの終点での内外周差Ｄは、最大となっている。そして、内外周差Ｄ及び各導体素線１１で生じた過不足ｄＬは、直線部２３０の区間長Ｌ３Ｃが撚りピッチＰ３の整数倍となっていることから、直線部２３０においてもずれが生じず維持される。このように、直線部２３０では、一方の曲がり部２２０Ａで生じた導体素線１１の過不足ｄＬ及び内外周差Ｄを維持した状態で、他方の曲がり部２２０Ｂの曲げの始点に至る。
【００２９】
そして、他方の曲がり部２２０Ｂの区間長Ｌ３Ｂは、撚りピッチＰ３の１／２となっており、区間長Ｌ３Ａ、Ｌ３Ｂの合計が撚りピッチＰ３の整数倍の長さとなっている。また、各曲がり部２２０は同じ曲率Ｋ３で曲げられており、同じ長さで生じる各導体素線１１の過不足ｄＬ及び内外周差Ｄが等しくなる。そのため、他方の曲がり部２２０Ｂで生じた導体素線１１の過不足ｄＬ及び内外周差Ｄが直線部２３０で維持された導体素線１１の過不足ｄＬ及び内外周差Ｄと打ち消し合って、他方の曲がり部２２０Ｂの終点での内外周差Ｄは、０となる。
【００３０】
つまり、複数の曲がり部２２０Ａ、２２０Ｂの区間長Ｌ３Ａ、Ｌ３Ｂの合計が撚りピッチＰ３の整数倍の長さの時に、各曲がり部２２０を合計した場合の各導体素線１１の線路長が等しくなる。また、直線部２３０の区間長Ｌ３Ｃを撚りピッチＰ３の整数倍の長さとすることで、一方の曲がり部２２０Ａによって発生した導体素線１１の過不足ｄＬ及び内外周差Ｄを維持した状態で他方の曲がり部２２０Ｂの曲げの始点に至るようになっている。
【００３１】
以上、実施形態３によれば、電線Ｗ３は、複数本の導体素線１１が所定の撚りピッチＰ３で撚り合わされている電線Ｗ３であって、所定曲率Ｋ３の曲がり形状をなす複数の曲がり部２２０と、各曲がり部２２０の間を直線的に繋ぐ直線部２３０を有する電線Ｗ３において、各曲がり部２２０の区間長Ｌ３Ａ、Ｌ３Ｂの合計及び直線部２３０の区間長の合計がともに撚りピッチＰ３の整数倍の長さとされている。
【００３２】
このように、曲がり部２２０間に直線部２３０を含む電線Ｗ３であっても、電線Ｗ３の柔軟性を損なうことなく曲げることができる。さらに電線Ｗ３の端末が固定されても、曲がり部２２０に膨らみが発生しなくなる。
【００３３】
＜実施形態４＞
次に、曲がり部３２０の形状が異なる電線Ｗ４について、図６及び図７を用いて説明する。なお、実施形態１と同一の構成については同一の符号を付して説明を省略する。また、各導体素線１１は、図面の簡略化のために図示を省略する。
【００３４】
本実施形態では、図６に示すように、図１に示された上記電線の１つである電線Ｗ４が、曲率Ｋ４の曲がり形状をなす曲がり部３２０を２つ有しており、各曲がり部３２０の間を直線的につなぐ直線部３３０を有している。曲がり部３２０及び直線部３３０は、導体素線１１が撚りピッチＰ４で撚り合わされた芯線１３が露出している部分に設けられている。
【００３５】
各曲がり部３２０がその曲げの始点Ｓ、Ｕと曲げの終点Ｔ、Ｖとが略９０度移動した位置になるように曲率Ｋ４で曲げられている。そして、各曲がり部３２０の間に直線部３３０が設けられている。また、曲がり部３２０が設けられている部分（始点Ｓ）より前は、直線的になっている前端部３４０であり、曲がり部３２０が設けられている部分（終点Ｖ）より後の部分は、直線的になっている後端部３５０である。全体として、前端部３４０と後端部３５０ねじれの位置になるように電線Ｗ４は３次元的に曲げられている。
【００３６】
前端部３４０の中心軸と直線部３３０の中心軸によって定義づけられる仮想平面Ｘ上に、一方の曲がり部３２０Ａの中心軸が配されている。また、直線部３３０の中心軸と後端部３５０の中心軸によって定義づけられる仮想平面Ｙ上に、他方の曲がり部３２０Ｂの中心軸が配されている。そして、仮想平面Ｘと仮想平面Ｙとは、直交している。
【００３７】
一方の曲がり部３２０Ａの区間長Ｌ４Ａは、撚りピッチＰ４の１／２の長さとなっており、他方の曲がり部３２０Ｂの区間長Ｌ４Ｂも撚りピッチＰ３の１／２の長さとなっている。つまり、区間長Ｌ４Ａ、Ｌ４Ｂの合計が撚りピッチＰ４の整数倍の長さとなっている。また、直線部３３０の区間長Ｌ４Ｃは、撚りピッチＰ４の１／４の長さとなっている。
【００３８】
ここで、図６及び図７に示すように、電線Ｗ４では、曲げの終点Ｖ（他方の曲がり部３２０Ｂと後端部３５０の境界位置）での内外周差Ｄは０となっている。なお、図７では、仮想平面Ｘ上に中心軸がありかつ曲率Ｋ４で曲げられた電線と仮想平面Ｙ上に中心軸がありかつ曲率Ｋ４曲げられた電線について曲げの始点Ｓからの長さと内外周差Ｄとの関係が破線で描かれている。仮想平面Ｘと仮想平面Ｙとは直交しており、同じ曲率Ｋ４で曲げられていることから、その曲げによる内外周差Ｄとの関係等も長さ方向に平行移動している。また、電線Ｗ４の曲げの始点Ｓからの長さと内外周差Ｄとの関係が太実線で描かれている。
【００３９】
仮想平面Ｘ上での一方の曲がり部３２０Ａの区間長Ｌ４Ａは、撚りピッチＰ４の１／２の長さ（Ｐ４／２）となっており、一方の曲がり部３２０Ａの終点Ｔでの内外周差Ｄは最大となっている。そして、仮想平面Ｘと直交する仮想平面Ｙ上にその中心軸が配された他方の曲がり部３２０Ｂの始点Ｕでの内外周差Ｄが一方の曲がり部３２０Ａの終点Ｔでの内外周差Ｄと等しくなるようにする。つまり、他方の曲がり部３２０Ｂの始点Ｕでの内外周差Ｄが最大となるようにする。
【００４０】
このように、他方の曲がり部３２０Ｂの始点Ｕでの内外周差Ｄが一方の曲がり部３２０Ａの終点Ｔでの内外周差Ｄと等しくなる場合について説明する。仮想平面Ｙ上に中心軸がある電線では、内外周差Ｄが最大となるのは、曲げの始点Ｓからの長さが撚りピッチＰ４の３／４の長さ（３Ｐ４／４）となる位置である。そのため、曲げの始点Ｓからの長さが撚りピッチＰ４の３／４の長さ（３Ｐ４／４）となる位置が他方の曲がり部３２０Ｂの始点Ｕになれば、他方の曲がり部３２０Ｂの始点Ｕでの内外周差Ｄが一方の曲がり部３２０Ａの終点Ｔでの内外周差Ｄと等しくなる。
【００４１】
このような他方の曲がり部３２０Ｂの始点Ｕにするための直線部３３０の区間長Ｌ４Ｃについて説明する。一方の曲がり部３２０Ａの終点Ｔは、曲げの始点Ｓからの長さが撚りピッチＰ４の１／２の長さ（Ｐ４／２）となる位置である。そして、他方の曲がり部３２０Ｂの始点Ｕは、曲げの始点Ｓからの長さが撚りピッチＰ４の３／４の長さ（３Ｐ４／４）となる位置である。したがって直線部３３０の区間長Ｌ４Ｃは、その差分とすればよく、具体的には、撚りピッチＰ４の１／４の長さとなる。
【００４２】
また、曲がり部３２０Ａ、３２０Ｂの区間長Ｌ４Ａ、Ｌ４Ｂの合計が撚りピッチＰ４の整数倍の長さとなっており、各曲がり部３２０は同じ曲率Ｋ４によって曲げられている。そのため、他方の曲がり部３２０Ｂの始点Ｕでの内外周差Ｄが一方の曲がり部３２０Ａの終点Ｔでの内外周差Ｄと等しくなると、実施形態３と同様に、一方の曲がり部３２０Ａで生じた内外周差Ｄ及び各導体素線１１の過不足ｄＬが他方の曲がり部２２０で生じた内外周差Ｄ及び各導体素線１１の過不足ｄＬと打ち消し合うことになる。
【００４３】
つまり、２つの曲がり部３２０Ａ、３２０Ｂの区間長Ｌ４Ａ、Ｌ４Ｂの合計が撚りピッチＰ４の整数倍の長さの時に、各曲がり部３２０を合計した場合の各導体素線１１の線路長が等しくなる。また、曲がり部３２０Ａ、３２０Ｂが配された仮想平面Ｘ、Ｙが互いに直交し、かつ直線部３３０の区間長Ｌ４Ｃを撚りピッチＰ４の１／４の整数倍の長さとすることで、一方の曲がり部３２０Ａによって発生した導体素線１１の過不足ｄＬ及び内外周差Ｄを維持した状態で、他方の曲がり部３２０Ｂの始点Ｕに至るようになっている。
【００４４】
以上、実施形態４によれば、電線Ｗ４は、複数本の導体素線１１が所定の撚りピッチＰ４で撚り合わされている電線Ｗ４であって、所定曲率Ｋ４の曲がり形状をなす２つの曲がり部３２０と、各曲がり部３２０の間を直線的に繋ぐ直線部３３０を有する電線Ｗ４において、各曲がり部３２０Ａ、３２０Ｂの中心軸が配される仮想平面Ｘ、Ｙが直交し、各曲がり部３２０の区間長Ｌ３Ａ、Ｌ３Ｂの合計が撚りピッチＰ３の整数倍の長さとされ、直線部３３０の区間長Ｌ４Ｃを撚りピッチＰ４の１／４の整数倍の長さとする。
【００４５】
このように、３次元的に曲げられかつ曲がり部３２０間に直線部３３０を含む電線Ｗ４であっても、電線Ｗ４の柔軟性を損なうことなく曲げることができる。さらに電線Ｗ４の端末が固定されても、曲がり部３２０に膨らみが発生しなくなる。
【００４６】
複数本の導体素線１１が所定の撚りピッチＰ４で撚り合わされている電線Ｗ４の曲げ方法であって、電線Ｗ４は、２つの曲がり部３２０と各曲がり部３２０の間を直線的に繋ぐ直線部３３０とを有しており、直線部３３０の区間長が撚りピッチＰ４の１／４の整数倍となっている一方、２つの曲がり部３２０Ａ、３２０Ｂは同じ曲率Ｋ４で曲げられかつその中心軸が直交する仮想平面Ｘ、Ｙ上にそれぞれ配されており、この２つの曲がり部３２０の区間長Ｌ４Ａ、Ｌ４Ｂの合計が撚りピッチＰ３の整数倍となるように曲げられる。
【００４７】
＜他の実施形態＞
本明細書によって開示される技術は上記記述及び図面によって説明した実施形態に限定されるものではなく、例えば次のような種々の態様も含まれる。
（１）上記実施形態１〜４では、曲がり部２０、１２０、２２０、３２０は、絶縁被覆１５が剥ぎ取られ芯線１３が露出する位置に設けられていたが、絶縁被覆１５に覆われていても良い。
【００４８】
（２）上記実施形態１では、曲がり部２０は略９０度に曲げられていたが、異なる角度で曲げられていても良い。
【００４９】
（３）上記実施形態３では、電線Ｗ３は、曲がり部２２０を２つ有していたが、３つ以上有していても良い。
【００５０】
（４）上記実施形態３、４では、各曲がり部２２０、３２０は略９０度に曲げられていたが、それぞれが異なる角度で曲げられていても良い。例えば、一方が４５度で他方が１３５度で曲げられていても良い。また、曲がり部の区間長も異なる値になっていても良い。
【符号の説明】
【００５１】
１１…導体素線
１３…芯線
１５…被覆電線
２０、１２０、２２０（Ａ、Ｂ）、３２０（Ａ、Ｂ）…曲がり部
２３０、３３０…直線部
３４０…前端部
３５０…後端部
Ｗ、Ｗ１、Ｗ２、Ｗ３、Ｗ４…電線
Ｌ、Ｌ１、Ｌ２、Ｌ３Ａ、Ｌ３Ｂ、Ｌ３Ｃ、Ｌ４Ａ、Ｌ４Ｂ、Ｌ４Ｃ…区間長
Ｐ、Ｐ１、Ｐ２、Ｐ３、Ｐ４…撚りピッチ
Ｒ１…曲率半径
Ｋ１、Ｋ２、Ｋ３、Ｋ４…曲率
ｄＬ…過不足
Ｄ…内外周差
Ｘ、Ｙ…仮想平面
【図１】
0006376093.tif 000002
【図２】
0006376093.tif 000003
【図３】
0006376093.tif 000004
【図４】
0006376093.tif 000005
【図５】
0006376093.tif 000006
【図６】
0006376093.tif 000007
【図７】
0006376093.tif 000008
【図８】
0006376093.tif 000009
【図９】
0006376093.tif 000010